(57)【要約】      （修正有）【課題】着脱が容易で、折り畳み式テーブルの下棚に簡単に取付けることができ、手提げ部の付いていない大きなゴミ袋でも使用可能な簡易組立式ゴミ捨具を提供する。【解決手段】テーブル天板Ｄの下側に配設された下棚Ｌにおける奥側の横ビームＢ１に掛止するフック部１１を有する支持ロッド１であって、支持ロッドは、フック部１１を奥側の横ビームＢ１に掛止させた時に、前側の横ビームＢ２上に載置可能で、自由端側を上方へ持ち上げた時に、フック部が支点となって回動する囲い枠部２を備えている。この囲い枠部の内域にダッシュサックの周縁を吊支して固定する。【選択図】図１
0003192945.tif 000002
【実用新案登録請求の範囲】
【請求項１】
テーブル天板（Ｄ）の下側に配設された下棚（Ｌ）における奥側の横ビーム（B1）に掛止するフック部（11）を有する支持ロッド（１）であって、このフック部（11）を前記奥側の横ビーム（B1）に掛止させて前側の横ビーム（B2）上に、この支持ロッド（１）の自由端側は載置可能である一方、当該支持ロッドの自由端側を上方へ持ち上げたとき前記フック部（11）が支点となって回動する当該支持ロッドの自由端側には囲い枠部（２）を備えており、この囲い枠部（２）の内域にダッシュサック（３）を固定して吊支することが可能な下棚付きデスクに取付けることを特徴とした簡易組立式ゴミ捨具。
【請求項２】
支持ロッド（１）にテレスコピック式に伸び縮み可能な伸縮機構（12）を備え、下棚（Ｌ）の奥側の横ビーム（B1）と前側の横ビーム（B2）の間隔と支持ロッド（１）の長さとを適合可能に構成したことを特徴とする請求項１に記載の簡易組立式ゴミ捨具。
【請求項３】
支持ロッド（１）と囲い枠部（２）との結合部に下方に延設されたロッド脚部（13）を設け、ダッシュサック（３）が地面と擦れない位置に固定可能にすることを特徴とする請求項１または２に記載の簡易組立式ゴミ捨具。
【請求項４】
囲い枠部（２）の前側に、表示板（４）を着脱自在に吊支するようにしたことを特徴とする請求項１〜３に記載の簡易組立式ゴミ捨具。
【請求項５】
ダッシュサック（３）の下端に挟持片付きの錘（５）を取り付け、風が吹いても安定するようにしたことを特徴とする請求項１〜４に記載の簡易組立式ゴミ捨具。
【考案の詳細な説明】
【技術分野】
【０００１】
本考案は、袋体保持具の改良、更に詳しくは、テーブル天板の下側に配設された下棚の横ビームに引っ掛けるだけで固定することができ、前側の枠部にゴミ袋を取り付けて使用できる簡易組立式ゴミ捨具に関するものである。
【背景技術】
【０００２】
最近、商店街やイベント会場周辺にテロ防止等の安全配慮の観点からゴミ箱や廃品収集の設備が極端に少なくなっている。このため、使用済みのティッシュやマスクが所構わず投げ捨てられ、街の景観悪化や生活環境を汚くしている。
【０００３】  例えば、（公序良俗違反につき、不掲載）が輸血用の血液の提供を民衆に呼び掛けるために街頭の一隅にテントを張って折り畳みデスクを設置し、所謂「献血バス」で医師等が採血作業を行う、所謂「献血運動」を行っているが、採血の際に使用した脱脂綿等を献血者が直ぐに投げ捨てることもあり、その捨て場所に困る。【０００４】
通常、このような「献血運動」の際には、デスクの傍に一般的に使用されるボックス型のゴミ箱を持ち込み、設置して用に供しているが、そのようなゴミ箱は嵩張って持ち運びに不便である。
【０００５】
また、その他のイベントにおいてもゴミ捨て上の問題があり、簡単に設置することができ、持ち運びの際には嵩張らないゴミ捨具が求められている。
【０００６】
そこで、従来からテーブルの天板に掛け具や摺動具を配設してポリ袋やゴミ袋を取り付けるといった手段が講じられている（特許文献１〜３参照）。
【０００７】
しかしながら、従来のゴミ捨具は、手提げ部の付いた袋体（ポリ袋）をゴミ袋として利用するたものものであるが、近年、自治体によっては手提げ部の付いた袋体をゴミ袋として使用できない場合があり、仮に使用できたとしてもゴミ袋として使用するには容量が少なく、大きなゴミ袋を必要とする献血会場やイベント会場での使用には適さなかった。
【先行技術文献】
【特許文献】
【０００８】
【特許文献１】実用新案登録第２５４９０９１号公報
【特許文献２】特開２００７−２４４８２９号公報
【特許文献３】実開平２−１２４８０８号公報
【考案の開示】
【考案が解決しようとする課題】
【０００９】
本考案は、従来のゴミ捨具に上記のような問題があったことに鑑みて為されたものであり、その目的とするところは、着脱が容易で、通常の折り畳み式テーブルの下棚に簡単に取付けることができる支持ロッドを取り付ける共に、手提げ部の付いていない大きなゴミ袋でも使用可能な簡易組立式ゴミ捨具を提供することにある。
【課題を解決するための手段】
【００１０】
本考案者が上記課題を解決するために採用した手段を添付図面を参照して説明すれば次のとおりである。
【００１１】
即ち、本考案のゴミ捨具は、テーブル天板Ｄの下側に配設された下棚Ｌにおける奥側の横ビームB1に掛止するフック部11を有する支持ロッド１であって、このフック部11を前記奥側の横ビームB1に掛止させて前側の横ビームB2上に、この支持ロッド１の自由端側は載置可能である一方、当該支持ロッドの自由端側を上方へ持ち上げたとき前記フック部11が支点となって回動する当該支持ロッドの自由端側に囲い枠部２を備えており、この囲い枠部２の内域にダッシュサック３の周縁を固定して吊支することが可能な下棚付きデスクに取り付けることができることを特徴とする。
【００１２】
また、本考案は、上記課題を解決するために、必要に応じて上記手段に加え、支持ロッド１にテレスコピック式に伸び縮み可能な伸縮機構12を設け、下棚Ｌの奥側の横ビームB1と前側の横ビームB2の間隔と、支持ロッド１の長さとを適合させる間隔保持手段を採用することができる。
【００１３】
また、本考案は、上記課題を解決するために、支持ロッド１と囲い枠部２との結合部に下方に延設されたロッド脚部13を設け、ダッシュサック３が地面と擦れない位置に固定するという手段を採用することができる。
【００１４】
また、本考案は、上記課題を解決するために、囲い枠部２の前側に、表示板４を着脱自在に吊支するという掲示手段を採用することができる。
【００１５】
また、本考案は、上記課題を解決するために、ダッシュサック３の下端に挟持片の付いた錘５を取り付け、多少の風が吹いても安定して保持可能にするという手段を採用することができる。
【考案の効果】
【００１６】
本考案において、簡易組立式ゴミ捨具は、支持ロッドのフック部をテーブル天板の下側に配設された下棚の奥側の横ビームに引っ掛けて取り付けられ、前側の横ビームに支持ロッドの自由端側が載置されるので容易に着脱することが可能となる。
【００１７】
本考案においては、支持ロッドにテレスコピック式に伸び縮み可能な伸縮機構を持用することにより、様々なサイズのテーブル幅に支持ロッドを対応させ、当該ゴミ捨具を取り付けることが可能となる。
【００１８】
本考案においては、支持ロッドと囲い枠部との結合部に下方に延設されたロッド脚部を設けることにより、ダッシュサックを吊支した際に、ダッシュサックが地面と擦れるのを防ぎ、ダッシュサックを見栄よくセットすることができる。
【００１９】
本考案においては、囲い枠部の前側に表示板を着脱自在に吊支することにより、吊支されたダッシュサックを固定でき、かつ、当該ダッシュサックに捨てるゴミの種類や献血運動の主催者を表示することができる。
【００２０】
本考案においては、ダッシュサックの下端に挟持片を有した錘を設けることにより、当該ゴミ捨具を屋外で使用する際に、風に吹かれてダッシュサックが靡きゴミ捨てが困難になる事態を防止できる。
【図面の簡単な説明】
【００２１】
【図１】簡易組立式ゴミ捨具の取り付け構造を表した分解斜視図である。
【図２】簡易組立式ゴミ捨具を下棚に掛止した状態を表す断面斜視図である。
【図３】簡易組立式ゴミ捨具にダッシュサックを装着した状態を表す斜視図である。
【図４】伸縮機構を備えた簡易組立式ゴミ捨具の透視図である。
【図５】変形例の簡易組立式ゴミ捨具を表した斜視図である。
【考案を実施するための形態】
【００２２】
本考案を実施するための形態を、具体的に図示した図面に基づいて、更に詳細に説明すると、次のとおりである。
【００２３】
『実施例１』
本考案の実施例を図１から図３に基づいて説明する。図中、符号１で指示するものは支持ロッドであり、本実施例において、支持ロッド１は一端にフック部11・11を備え、他端には下方に延設されたロッド脚部13・13を形成したものを使用している（図１参照）。本実施例においては、支持ロッド１として鋼材又はアルミ材を用いている。
【００２４】
また、符号２で指示するものは、囲い枠部であり、前記の支持ロッド１と同じ金属材料で溶接や曲げ加工により一体成形する。なお、本実施例においては、矩形のものを使用した（図１参照）。
【００２５】
また、符号３で指示するものは、ダッシュサックであり、本実施例ではポリエチレンやポリプロピレン製の家庭用ゴミ収集袋を使用する。材質は、囲い枠部２に吊支可能な袋体であればよい。なお、本実施例においてダッシュサック３を吊支するために挟み具を使用したが、吊支状態を維持可能なものであれば磁石等を使用してもよい。
【００２６】
また、符号４で指示するものは、表示板であり、プラスチック板やアルミ製板で所要の表示を掲示できるものを使用する（図１参照）。なお、囲い枠部２の前側に着脱自在に吊支可能であれば足りる。
【００２７】
次に簡易組立式ゴミ捨具の使用方法を図２、図３に基づいて説明する。テーブル天板Ｄの下側に配設された下棚Ｌの奥側の横ビームB1に支持ロッド１に形成されたフック部11・11を引っ掛け、前側の横ビームB2上に、この支持ロッド１の自由端側を載置して取り付けられる（図２参照）。
【００２８】
そして、囲い枠部２にダッシュサック３をクリップで挟み込んで吊支すると共に、当該ダッシュサック３の下端に挟持片付きの錘５を取り付ける。更に、前側にはゴミの種類や開催者名を記載した表示板４を吊支する（図３参照）。
【００２９】
本実施例は、テーブル天板の下側に配設された下棚を利用することにより、容易に着脱でき、多様なサイズのダッシュサックを使用できると共に、屋外で使用してもダッシュサックが風で吹き流されることなく安定して保持できる。
【００３０】
『実施例２』
図４には、実施例２の本考案ゴミ捨具が図示される。
【００３１】
本実施例において、支持ロッド１はテレスコピック式の伸縮機構12を備え、一端にはフック部11、他端にはロッド脚部13を設けて構成される。
【００３２】
本実施例は、伸縮機構を有した簡易組立式ゴミ捨具であって、上記伸縮機構12を備えることにより、幅の広いテーブルを使用する際に、当該テーブルに配設された下棚の幅員に合わせて支持ロッド１の長さを調節することができる。また、実施例１に類する構造であるため当然に実施例１で得られる効果を有する。
【００３３】
『変形例』
本明細書と添付図に例示する本考案の実施例は、概ね上記のとおりであるが、本考案は、前述の実施例に限定されるものでは決してなく、「実用新案登録請求の範囲」の記載内において種々の変更が可能であることは言うまでもなく、例えば、次に挙げる変形例は本考案の技術的範囲に属する。
【００３４】
本実施例においては、支持ロッド１として平行に延びる２本の金属棒で構成される例を示したが、ダッシュサック保持具を安定してテーブル掛止させることができればよく、例えば所定幅を有する帯板状の支持ロッドに伸縮機構12を設けたもの１本を囲い枠部２に溶接して使用することも可能である（図５参照）。
【００３５】
囲い枠部２について、本実施例では矩形のものを使用したが、支持ロッド１を固定でき、ダッシュサック３を吊下できればよく、例えば半円形のものを使用することも可能である。
【００３６】
表示板４について、本実施例では金属製のものを使用したが、囲い枠部２に吊支可能であればよく、例えばゴミの種類を記載する部分をホワイトボードのように表面に金属コーティングや樹脂コーティングを施したものやポリエチレンテレフタレート樹脂フィルムのような反復して書き消し可能な材料で作製することも可能である。
【符号の説明】
【００３７】
１  支持ロッド
11  フック部
12  伸縮機構
13  ロッド脚部
２  囲い枠部
３  ダッシュサック
４  表示板
５  挟持片付きの錘
Ｄ  テーブル天板
Ｌ  下棚
B1  奥側横ビーム
B2  前側横ビーム
【図１】
0003192945.tif 000003
【図２】
0003192945.tif 000004
【図３】
0003192945.tif 000005
【図４】
0003192945.tif 000006
【図５】
0003192945.tif 000007
【手続補正書】
【提出日】平成26年7月11日(2014.7.11)
【手続補正１】
【補正対象書類名】実用新案登録請求の範囲
【補正対象項目名】全文
【補正方法】変更
【補正の内容】
【実用新案登録請求の範囲】
【請求項１】
テーブル天板（Ｄ）の下側に配設された下棚（Ｌ）における奥側の横ビーム（B1）に掛止するフック部（11）を有する支持ロッド（１）であって、このフック部（11）を前記奥側の横ビーム（B1）に掛止させて前側の横ビーム（B2）上に、この支持ロッド（１）の自由端側は載置可能である一方、当該支持ロッドの自由端側を上方へ持ち上げたとき前記フック部（11）が支点となって回動する当該支持ロッドの自由端側には囲い枠部（２）を備えており、この囲い枠部（２）の内域にダッシュサック（３）を固定して吊支することが可能な下棚付きデスクに取付けることを特徴とした簡易組立式ゴミ捨具。
【請求項２】
支持ロッド（１）にテレスコピック式に伸び縮み可能な伸縮機構（12）を備え、下棚（Ｌ）の奥側の横ビーム（B1）と前側の横ビーム（B2）の間隔と支持ロッド（１）の長さとを適合可能に構成したことを特徴とする請求項１に記載の簡易組立式ゴミ捨具。
【請求項３】
支持ロッド（１）と囲い枠部（２）との結合部に下方に延設されたロッド脚部（13）を設け、ダッシュサック（３）が地面と擦れない位置に固定可能にすることを特徴とする請求項１または２に記載の簡易組立式ゴミ捨具。
【請求項４】
囲い枠部（２）の前側に、表示板（４）を着脱自在に吊支するようにしたことを特徴とする請求項１〜３のいずれか一項に記載の簡易組立式ゴミ捨具。
【請求項５】
ダッシュサック（３）の下端に挟持片付きの錘（５）を取り付け、風が吹いても安定するようにしたことを特徴とする請求項１〜４のいずれか一項に記載の簡易組立式ゴミ捨具。
【手続補正２】
【補正対象書類名】明細書
【補正対象項目名】０００３
【補正方法】変更
【補正の内容】
【０００３】
例えば、社会福祉団体が輸血用の血液の提供を民衆に呼び掛けるために街頭の一隅にテントを張って折り畳みデスクを設置し、所謂「献血バス」で医師等が採血作業を行う、所謂「献血運動」を行っているが、採血の際に使用した脱脂綿等を献血者が直ぐに投げ捨てることもあり、その捨て場所に困る。